(57)【要約】【課題】高所作業車を使用することなく、少ない作業者で重い電気機器を電柱の上部に安全且つ容易に設置することができ、しかも、部品数が少なくコストが低廉であり、軽量で取り扱いが簡単な電気機器の高所取付装置を提供すること。【解決手段】電柱Ａの上部に着脱可能に取り付けられ、取付時に上下方向に並んで配置される支柱取付部８ａ，８ｂを有する複数の支柱固定金具１と、支柱取付部８ａ，８ｂに中心軸を回転中心として回動・固定可能に取り付けられる支柱２と、支柱２から側方へ張り出し、先端部に滑車１７が設けられたアーム３と、アーム３の中間部に設置されたウィンチ４と、ウィンチ４と滑車１７を介して電柱Ａの上部と地上を連絡するワイヤー５とを備え、ワイヤー５をウィンチ４で巻き上げることにより、電気機器Ｃを地上から電柱Ａの上部へ吊り上げる。【選択図】図３
2019201447.tif 000002
【特許請求の範囲】
【請求項１】
電柱の上部に電気機器を設置するのに用いる電気機器の高所取付装置であって、複数の支柱固定金具と、支柱と、アームと、ウィンチと、ワイヤーとを備え、
前記複数の支柱固定金具は、前記電柱の上部に、上下に間隔をおいて着脱可能に取り付けられ、取付時に上下方向に並んで配置される支柱取付部を有し、
前記支柱は、前記複数の支柱固定金具の支柱取付部に中心軸を回転中心として回動・固定可能に挿入され、
前記アームは、前記支柱から側方へ張り出し、先端部に滑車が設けられ、
前記ウィンチは前記アームの中間部に取り付けられ、
前記ワイヤーは前記ウィンチと前記滑車を介して前記電柱の上部と地上を連絡し、
前記ワイヤーを前記ウィンチで巻き上げることにより、前記ワイヤーに連結した前記電気機器を地上から電柱の上部へ吊り上げ可能であることを特徴とする電気機器の高所取付装置。
【請求項２】
最も下に位置する支柱固定金具の支柱取付部は、上方に開口する支持筒であり、その他の支柱固定金具の支柱取付部は、前記支持筒の上方に配置されて上下方向に開口する支持管であり、前記支柱は前記支持管及び支持筒に挿入され、前記支持筒の底面中心部に逆円錐形の軸受凹部を形成し、前記支柱の底面中心部に逆円錐形の回転軸を設け、該回転軸を前記軸受凹部に回動自在に係合したことを特徴とする請求項１に記載された電気機器の高所取付装置。
【請求項３】
前記アームが長さ調節可能であることを特徴とする請求項１又は２に記載された電気機器の高所取付装置。
【請求項４】
前記アームは、前記支柱から張り出す外パイプと、該外パイプの先端面から内部に摺動・固定可能に嵌合された内パイプとを備え、前記滑車が前記内パイプの先端部に設けられ、前記外パイプに前記ウィンチ取り付けられていることを特徴とする請求項３に記載された電気機器の高所取付装置。
【発明の詳細な説明】
【技術分野】
【０００１】
本発明は、電柱の上部等の高所に高圧気中開閉器（ＰＡＳ）等の電気機器を設置するのに用いる電気機器の高所取付装置に関する。
【背景技術】
【０００２】
電柱の高さは約１０ｍ〜１２ｍあり、電柱の上部に電気機器を設置する作業には危険が伴う。特に、高圧気中開閉器（ＰＡＳ）の重量は６０ｋｇ程もあるので、人力で電柱の上部まで運び上げて設置するのは非常に難しい。
通常、電柱の上部に電気機器を設置するには高所作業車を用いる。
ところが、高所作業車が進入できない場所や、高所作業車を安定して設置できない場所も多く、このような場所では人力で全ての設置作業を行なわざるを得なかった。
【０００３】
そこで、本発明の発明者は、先に、電柱の下部に取り付けられるウィンチと、電柱の上部に取り付けられ、吊上げ滑車を有する吊上げ装置と、電柱の上部に取り付けられるアーム支持装置と、アーム支持装置に取り付けられ、上部滑車を有する可動アーム装置と、ウィンチと吊上げ装置の吊上げ滑車又は可動アーム装置の上部滑車を介して電柱の上部と地上を連絡するワイヤーとを備え、アーム支持装置は上面が開口した支持筒を有し、可動アーム装置は、支持筒に中心軸を回転中心として回動可能に挿入される支柱、及び、支柱から側方へ張り出すアームを有し、アームの先端部に上部滑車を設け、ワイヤーを吊上げ滑車に掛けてウィンチで巻き上げることにより、アーム支持装置及び可動アーム装置を地上から電柱の上部へ吊り上げ、ワイヤーを上部滑車に掛けてウィンチで巻き上げることにより、電気機器を地上から電柱の上部へ吊り上げる電気機器の高所取付装置を提案した（特許文献１参照）。
この装置を用いれば、高所作業車を使用することなく、少ない作業者で重い電気機器を電柱の上部に安全に、且つ、容易に設置することができる。
【先行技術文献】
【特許文献】
【０００４】
【特許文献１】特許第５８２２２２０号公報
【発明の概要】
【発明が解決しようとする課題】
【０００５】
しかし、上記従来の電気機器の高所取付装置は、部品数が多く、重量も重いので、取付および取り外しに比較的手間がかかり、低価格化も充分であるとはいえなかった。
本発明が解決しようとする課題は、高所作業車を使用することなく、少ない作業者で重い電気機器を電柱の上部に安全且つ容易に設置することができ、しかも、部品数が少なくコストが低廉であり、軽量で取り扱いが簡単な電気機器の高所取付装置を提供することにある。
【課題を解決するための手段】
【０００６】
本発明は、電柱の上部に電気機器を設置するのに用いる電気機器の高所取付装置に関し、複数の支柱固定金具と、支柱と、アームと、ウィンチと、ワイヤーとを備え、前記複数の支柱固定金具は、前記電柱の上部に、上下に間隔をあけて着脱可能に取り付けられ、取付時に上下方向に並んで配置される支柱取付部を有し、前記支柱は、前記複数の支柱固定金具の支柱取付部に中心軸を回転中心として回動・固定可能に挿入され、前記アームは、前記支柱から側方へ張り出し、先端部に滑車が設けられ、前記ウィンチは前記アームの中間部に取り付けられ、前記ワイヤーは前記ウィンチと前記滑車を介して前記電柱の上部と地上を連絡し、前記ワイヤーを前記ウィンチで巻き上げることにより、前記ワイヤーに連結した前記電気機器を地上から電柱の上部へ吊り上げ可能である。
【０００７】
最も下に位置する支柱固定金具の支柱取付部が、上方に開口する支持筒であり、その他の支柱固定金具の支柱取付部が、前記支持筒の上方に配置されて上下方向に開口する支持管であり、前記支柱は前記支持管及び支持筒に挿入され、前記支持筒の底面中心部に逆円錐形の軸受凹部を形成し、前記支柱の底面中心部に逆円錐形の回転軸を設け、該回転軸を前記軸受凹部に回動自在に係合するとよい。
前記アームの長さを調節可能とするのが望ましい。
この場合、前記アームは、前記支柱から張り出す外パイプと、該外パイプの先端面から内部に摺動・固定可能に嵌合された内パイプとを備え、前記滑車が前記小径管の先端部に取り付けられ、前記大径管に前記ウィンチ取り付けられていることがある。
【発明の効果】
【０００８】
本発明によれば、軽量で小型の少数の部品を電柱の上部に設置し、ウィンチを用いて重い電気機器を吊上げることができので、高所作業車を用いなくても、重い電気機器を安全かつ簡単に電柱の上部に設置することが可能である。
また、部品数及び部品重量が少ないので、価格が低廉で済み、取付および取り外しに要する手間も削減できる。
さらに、支柱を支持する支柱固定金具が複数に分割されているので、電柱に設置された様々な機器を避けて取り付けることができ、十分な支持強度も得られる。
電気機器を連結したワイヤーを支持する滑車は、支柱を回転させることにより、電気機器が取り付けられる腕金の張り出し方向に合わせて位置を調整できる。
電柱の上部にいる作業員が、電気機器の取り付けと、ウィンチの操作を行うので、電柱の上と地上で連絡を取り合う必要が無く、ウィンチの調整が容易である。
【０００９】
請求項２に係る発明によれば、可動アーム装置がスムーズに安定して回転する。
請求項３及び４に係る発明によれば、電柱から張り出す異なる長さの腕金に電気機器を設置し易い。
【図面の簡単な説明】
【００１０】
【図１】本発明の実施例に係る電柱の電気機器設置工程の第１段階における側面図である。
【図２】本発明の実施例に係る電柱の電気機器設置工程の第２段階における側面図である。
【図３】本発明の実施例に係る電柱の電気機器設置工程の第３段階における側面図である。
【図４】本発明の実施例に係る電柱の電気機器設置工程の第４段階における側面図である。
【図５】本発明の実施例に係る支柱固定金具の側面図である。
【図６】本発明の実施例に係る最も下に位置する支柱固定金具の平面図である。
【図７】本発明の実施例に係る支持筒の断面図である。
【図８】本発明の実施例に係る支柱及びアームの側面図である。
【図９】本発明の実施例に係る支柱、アーム及び支柱固定金具の一部を破断した側面図である。
【発明を実施するための形態】
【００１１】
以下、本発明の実施例を図面に基づいて詳細に説明する。
この実施例は、図４に示すように、電柱Ａの上部に水平方向へ延びるよう設けた腕金Ｂに、高圧気中開閉器Ｃより成る電気機器を設置するのに用いる高所取付装置に関し、図３に示すように、複数の（本実施例では３個の）支柱固定金具１と、支柱２と、アーム３と、ウィンチ４と、ワイヤー５とを備える。
【００１２】
支柱固定金具１は、最も下に位置する支柱固定金具１ａと、その他の支柱固定金具１ｂとで異なる構造を有し、それぞれ電柱Ａに取り付けるための締め付けバンド６と、締め付けバンド６から側方へ延びるブラケット７と、ブラケット７の先端に設けられた支柱取付部とを備える。
締め付けバンド６は、図５及び図６に示すように、一対の半円バンド９を開閉可能に連結してなり、半円バンド９の両端部にねじ込んだ締め付けネジ１０を締め込むことにより、締め付けバンド６の直径を小さくできるようになっている。
また、一方の半円バンド９の外周面中央部から側方へブラケット７が延びている。
【００１３】
最も下に位置する支柱固定金具１ａの支柱取付部は、上方に開口した断面円形の支持筒８ａであり、その他の支柱固定金具１ｂの支柱取付部は、上下方向に開口した断面円形の支持管８ｂである。
支持筒８ａ及び支持管８ｂは同じ高さと径を有し、支持筒８ａの底面中心部には逆円錐形の軸受凹部１１が形成されている（図７）。また、支持筒８ａ及び支持管８ｂの側面には、外周側から内側へ向かって固定用ネジ１２がねじ込まれている。
そして、図１に示すように、一対の半円バンド９ａを電柱Ａの外周囲に嵌め、締め付けネジ１０を締め込むことにより、締め付けバンド６を電柱Ａの上部外周囲に巻き付けて、複数の支柱固定金具１を電柱Ａに上下に間隔をおいて取り付ける。
この時、支柱固定金具１の支持筒８ａと支持管８ｂは上下方向に並んで配置されるようにする。
【００１４】
支柱２は、長さが１２００ｍｍ〜１４００ｍｍで、支持筒８ａ及び支持管８ｂの内径よりもやや小さい外径を有する円形パイプよりなり、支持筒８ａ及び支持管８ｂに中心軸を回転中心として回動・固定可能に挿入される（図２〜図４）。
また、支柱２の底面中心部には逆円錐形の回転軸１３が設けられ、この回転軸１３が支持筒８ａの軸受凹部１１に回動自在に係合される（図９）。
このように支柱２の回転軸１３を支持筒８ａの軸受凹部１１に係合したことによって、支柱２が支持筒８ａ及び支持管８ｂ内で大きな抵抗を受けることなく、しかも、ガタつかずにスムーズに回転し、固定用ネジ１２をねじ込むことにより、支柱２は固定される。
【００１５】
アーム３は、図８に示すように、支柱２の上端部から側方へ張り出した外パイプ１４と、外パイプ１４の先端面から内部に摺動・固定自在に嵌合された内パイプ１５とから成り、内パイプ１５を摺動させることにより６５０ｍｍ〜８５０ｍｍの範囲で長さを調節することができる。支柱２と外パイプ１４の接合角部はコーナー補強板１６で補強する。
内パイプ１５の先端部上面には滑車１７が回転自在に設置され、外パイプ１４の上面にはウィンチ４が取り付けられ、ウィンチ４のドラムに巻き付けられたワイヤー５が滑車１７の外周を通して垂下している。
即ち、ワイヤー５がウィンチ４及び滑車１７を介して電柱Ａの上部と地上を連絡し、ウィンチ４のドラムに連結されたハンドルを手で回すことによりワイヤー５の巻き取り・巻き戻しを行うことができる。
なお、外パイプ１４の基端部上面には、支柱２及びアーム３を電柱Ａ上に引き上げる際にロープを掛けるための吊り上げ用金具１８が設けられる。
【００１６】
以下に、この高所取付装置を用いて高圧気中開閉器Ｃを電柱Ａの腕金Ｂに設置する手順について説明する。
まず、図１に示すように、電柱Ａに登った作業員が、電柱Ａの上部に複数の支柱固定金具１を上下に間隔をあけて取り付ける。この時、支柱固定金具１の締め付けバンド６は、電柱Ａに設置された配線金具等の様々な機器を避けて取り付ける。また、複数の支柱固定金具１の支持筒８ａ及び支持管８ｂは上下方向に一直線に並ぶように配置する。
次に、吊り上げ用金具１８にロープを掛けて、支柱２及びアーム３を電柱Ａの上に吊り上げる。
【００１７】
次いで、図２に示すように、支柱２を支柱固定金具１の支持筒８ａ及び支持管８ｂに上から挿入し、支柱２の回転軸１３を支持筒８ａの軸受凹部１１に係合する。
さらに、腕金Ｂの高圧気中開閉器Ｃを取り付ける位置に合わせてアーム３の長さを調節すると共に、腕金Ｂの張り出し方向とアーム３の張り出し方向を合わせ、固定用ネジ１２をねじ込んで支柱２を固定する。
次に、ワイヤー５を巻き戻し、地上でワイヤー５の先端に高圧気中開閉器Ｃを連結し、図３に示すように、ウィンチ４を用いてワイヤー５を巻き上げ、高圧気中開閉器Ｃを吊り上げる。
その後、図４に示すように、電柱Ａの上部に吊上げた高圧気中開閉器Ｃを腕金Ｂに取り付ける。
【００１８】
この時、高圧気中開閉器Ｃの取り付けとウィンチ４の操作はいずれも電柱Ａの上で行うので、電柱Ａの上と地上とで連絡を取り合うことなく、高圧気中開閉器Ｃの取付位置に合わせて、ウィンチ４による巻き上げ位置を微妙に調節することができる。
高圧気中開閉器Ｃの設置が終了したら、支柱２を支持筒８ａ及び支持管８ｂから抜いて支柱２及びアーム３を地上に降ろした後、支柱固定金具１を電柱Ａから外して降ろす。
【００１９】
本発明の高所取付装置の具体的な構造は上記実施例に限定されない。
例えば、支柱固定金具を電柱に取り付けるための締め付けバンドは、電柱の周囲を緩まないように締め付けるものであればよい。
また、支柱固定金具の数は電気機器の種類や重量によって適宜変更できる。
さらに、支柱およびアームをロープで吊り上げる際には、電柱にロープを掛けるための別の滑車を取り付けてもよい。
【符号の説明】
【００２０】
Ａ    電柱
Ｂ    腕金
Ｃ    高圧気中開閉器（ＰＡＳ）
１    支柱固定金具
２    支柱
３    アーム
４    ウィンチ
５    ワイヤー
６    締め付けバンド
７    ブラケット
８ａ  支持筒
８ｂ  支持管
９    半円バンド
１０  締め付けネジ
１１  軸受凹部
１２  固定用ネジ
１３  回転軸
１４  外パイプ
１５  内パイプ
１６  コーナー補強板
１７  滑車
１８  吊り上げ用金具
【図１】
2019201447.tif 000003
【図２】
2019201447.tif 000004
【図３】
2019201447.tif 000005
【図４】
2019201447.tif 000006
【図５】
2019201447.tif 000007
【図６】
2019201447.tif 000008
【図７】
2019201447.tif 000009
【図８】
2019201447.tif 000010
【図９】
2019201447.tif 000011